(57)【要約】【課題】従来技術の課題を解決すると共に、種々のスペックを満足する金券識別装置を提供する。【解決手段】本発明の金券識別装置１は、遊戯用機械同士の間に設置される金券識別装置であって、筐体の前方に設けられ、金券の挿入を受け付ける挿入口と、挿入口から挿入された金券が通る挿入路と、挿入路に設けられ、挿入された金券を識別する識別部と、挿入路に挿入された金券を搬送する搬送駆動手段と、搬送駆動手段で搬送された金券を一時的に保管する保管部と、保管部を筐体の外部に排出する排出駆動手段と、筐体の前方に設けられ、保管部を筐体から排出する排出口と、を備え、搬送部および保管部とは、挿入方向に略平行な同一平面上に配置され、挿入口は、遊戯用機械を操作する遊戯者に近い側に設けられ、排出口は、遊戯用機械を操作する遊戯者から遠い側に設けられる。【選択図】図１
2015023975.tif 000002
【特許請求の範囲】
【請求項１】
遊戯用機械同士の間に設置される金券識別装置であって、
筐体の前方に設けられ、金券の挿入を受け付ける挿入口と、
前記挿入口から挿入された前記金券が通る挿入路と、
前記挿入路に設けられ、挿入された前記金券を識別する識別部と、
前記挿入路に挿入された前記金券を搬送する搬送駆動手段と、
前記搬送駆動手段で搬送された前記金券を一時的に保管する保管部と、
前記保管部を前記筐体の外部に排出する排出駆動手段と、
前記筐体の前方に設けられ、前記保管部を前記筐体から排出する排出口と、を備え、
前記挿入路および前記保管部とは、前記挿入方向に略平行な同一平面上に配置され、
前記挿入口は、前記遊戯用機械を操作する遊戯者に近い側に設けられ、
前記排出口は、前記遊戯用機械を操作する遊戯者から遠い側に設けられる、金券識別装置。
【請求項２】
前記筐体は、隣接する前記遊戯用機械同士の間に、縦方向に設置される、請求項１記載の金券識別装置。
【請求項３】
前記搬送駆動手段および前記排出駆動手段の少なくとも一方は、モーターを有し、前記モーターは、前記筐体内部の上方および下方の少なくとも一方に配置される、請求項１又は２記載の金券識別装置。
【請求項４】
前記挿入路は、前記挿入口を基準として、テーパー部、屈曲部および湾曲部の少なくとも一部を有する、請求項１から３のいずれか記載の金券識別装置。
【請求項５】
前記挿入路が有するテーパー部、屈曲部および湾曲部の少なくとも一つは、前記挿入口から前記保管部に向かうに従い、前記保管部に近い側から遠い側に向かう、請求項４記載の金券識別装置。
【請求項６】
前記保管部は、前記筐体内部の上下において、上方余地および下方余地を生じさせる位置に配置される、請求項１から５のいずれか記載の金券識別装置。
【請求項７】
前記識別部、前記搬送駆動手段および前記排出駆動手段の少なくとも一つを制御する制御手段を更に備え、
前記制御手段は、電気信号を処理する電気部と、機械動作を処理する機械部とを有し、
前記機械部および前記電気部のそれぞれは、前記上方余地および前記下方余地のいずれかに配置される、請求項６記載の金券識別装置。
【請求項８】
前記電気部は、複数の電子部品を実装する電子基板を含む、請求項７記載の金券識別装置。
【請求項９】
前記電気部は、前記筐体外部との電気信号を接続するコネクタを有し、前記コネクタは、前記電気部から前記筐体の側面および底面の少なくとも一方に突出する、請求項８記載の金券識別装置。
【請求項１０】
前記機械部は、前記搬送手段に用いられる第１モーターおよび前記排出駆動手段に用いられる第２モーターを含む、請求項７から９のいずれか記載の金券識別装置。
【請求項１１】
前記排出駆動手段は、前記保管部を前記排出口から排出する方向に圧力を付与する圧力付与部と、前記保管部の排出の停止および解除を制御するストッパーと、前記ストッパーを駆動するストッパー駆動部と、を有する、請求項１から１０のいずれか記載の金券識別装置。
【請求項１２】
前記圧力付与部は、前記下方余地に配置され、前記ストッパーおよび前記ストッパー駆動部は、前記上方余地に配置される、請求項１１記載の金券識別装置。
【請求項１３】
前記圧力付与部は、弾性体を含み、前記弾性体は前記保管部に対して、常に排出方向に圧力を付与する、請求項１１又は１２記載の金券識別装置。
【請求項１４】
前記弾性体を固定すると共に所定長さを有する固定部材を更に備え、
前記固定部材は、
当該固定部材の支点を固定する支点固定部と、
前記支点固定部を基準として移動可能な力点となる動作部と、
前記弾性体の一端である係止端を係止すると共に該係止する部分を移動可能な移動範囲を有する移動部と、を有し、
前記係止端は、前記支点固定部と前記動作部との間の前記移動範囲を移動し、
前記保管部が前記筐体内部に収容される場合には、前記係止端は、前記移動部を移動して前記支点固定部に近づき、前記動作部と前記係止端との距離が大きくなり（以下、「第１の場合」という）、
前記保管部が前記筐体外部から排出される場合には、前記係止端は、前記移動部を移動して前記動作部に近づき、前記動作部と前記係止端の距離が短くなり（以下、「第２の場合」という）、
前記第２の場合は、前記第１の場合よりも、前記弾性体による前記保管部への圧力付与が大きくなる、請求項１３記載の金券識別装置。
【請求項１５】
前記保管部は、前記金券の側面に沿って該側面を支持する一対の側面支持部材を有し、
前記一対の側面支持部材のそれぞれは、前記金券の平面方向を支える底面より立設しており、
前記一対の側面支持部材のそれぞれにおける排出口側の高さは、前記一対の側面支持部材のそれぞれにおける逆側の高さよりも低い、請求項１から１４のいずれか記載の金券識別装置。
【請求項１６】
前記一対の側面支持部材のそれぞれにおける排出口側の高さは、前記排出口の幅以下である、請求項１５記載の金券識別装置。
【請求項１７】
前記一対の側面支持部材の高さが低い範囲は、前記保管部が前記排出口から排出される際に、前記保管部に保管されている金券が露出する長さに基づく、請求項１５又は１６記載の金券識別装置。
【発明の詳細な説明】
【技術分野】
【０００１】
本発明は、汎用あるいは遊戯用機械に用いられる自動販売機、自動貸出機など、お金の投入に合わせて商品等を提供する機器に使用される紙幣の識別や一時的な保管を行う金券識別装置に関する。
【背景技術】
【０００２】
自動販売機や自動貸出機などが、街中、商店内部、集合建造物内部などの様々な場所に設置されている。外国においても自動販売機や自動貸出機が設置されているが、治安や貨幣価値の安定性といった我が国特有の事情に基づき、我が国においては、非常に多数の自動販売機や自動貸出機が設けられている。
【０００３】
また、パチンコ機やスロットマシン機といった遊戯用機械が設置された遊技場も広く普及している。これらのパチンコ機やスロットマシン機が設置された遊技場では、遊戯者が遊戯に必要となるパチンコ玉やコインの貸し出しを受けるために自動貸出機が設置されている。このような自動貸出機には、遊戯者が硬貨、紙幣、プリペイドカード、ＩＣカード、ＩＤカードなどを投入して、投入された金額（あるいは遊戯者が指定した金額）に対応するパチンコ玉やコインを提供する。このため、自動貸出機には、投入された紙幣やプリペイドカードなど（以下、「金券」という）の真贋、種類（金額）を識別しつつ、必要に応じて一時的に紙幣を保管する金券識別装置が設置される。
【０００４】
このような遊戯用機械に使用されるパチンコ玉やコインなどの貸し出しを行う自動貸出機は、遊戯用機械（パチンコ台やスロットマシン台）の間に設置される。遊戯用機械を使用して遊戯を楽しむ遊戯者は、遊戯店に設置されている多数の遊戯用機械のそれぞれの前に着座して、遊戯を楽しむ。パチンコやスロットマシンを始めとしたこれらの遊戯用機械は、遊戯者が連続して操作することを前提としているからである。
【０００５】
このため、遊戯者はパチンコ台やスロットマシン台の前に着座した状態を維持して、操作を続行するのが普通である。これらの遊戯においては、パチンコ玉やコインを着座した状態で、遊戯者は自動貸出機から得たいと考える。加えて、遊戯者は、遊戯の途中の様々な場面で、即座に自動貸出機からパチンコ玉やコインの貸し出しを得たいとの欲求を有する。このような遊戯の特性や遊戯者の欲求に対応するために、自動貸出機は、複数の遊戯用機械（パチンコ台やスロットマシン台など）のそれぞれの間に設置される。
【０００６】
複数の遊戯用機械のそれぞれの間に、自動貸出機が設置されることで、遊戯者は遊戯用機械の前に着座して遊戯用の操作を続行しながらパチンコ玉やコインを得ることができる。このため、自動貸出機とセットで設置される金券識別装置も、複数の遊戯用機械のそれぞれの間に設置されることが望まれる。例えば、自動貸出機に金券識別装置が装着される場合もあり、この場合には、金券識別装置が、自動貸出機と共に、複数の遊戯用機械のそれぞれの間に設置されることになる。
【０００７】
このため、特に遊戯用機械に使用される金券識別装置は、複数の遊戯用機械のそれぞれの間に設置されるのに合わせたスペックを有する必要がある。さらには、金券識別装置は、複数の遊戯用機械のそれぞれの前に着座している遊戯者にとって使い勝手の良いスペックを有する必要がある。
【０００８】
このような金券識別装置として、いくつかの技術が提案されている（例えば、特許文献１、２参照）。
【先行技術文献】
【特許文献】
【０００９】
【特許文献１】特開２００６−２５４９７０号公報
【特許文献２】特開２００６−２６４９７７号公報
【発明の概要】
【発明が解決しようとする課題】
【００１０】
特許文献１は、挿入された紙幣を収容する収容ケースと、収容ケースに収容された紙幣を排出するための押し出しモータとを、紙幣識別および収容の機能として備える遊戯媒体貸出機を開示する。ここで、管理サーバは、リモコン機より遊技媒体貸出機に収容された紙幣の排出指令信号を出力して、この排出指令信号が遊技媒体貸出機及びネットワーク回線を介して受信された際に、複数の遊技媒体貸出機に対して所定の時間差をもって排出指令信号を出力する。このような構成によって、遊戯媒体貸出機の使い勝手を良くすることが提案されている。
【００１１】
しかしながら、特許文献１に開示される技術では、紙幣等を搬送する駆動手段や、収容される紙幣を回収する際の搬送手段に、複雑なモータや駆動機構を有しており、機械そのものが煩雑であるという問題を有していた。また、機械が煩雑であることで、小型化や薄型化が困難となり、パチンコ機やスロットマシン機の間などに設置しにくい問題も生じさせる。
【００１２】
パチンコ機やスロットマシン機を多数備える遊技場では、配置される多くのパチンコ機やスロットマシン機同士の間の隙間に、パチンコ玉やコインなどの自動貸出機を設置する必要がある。紙幣識別器はこの自動貸出機と合わせて構成されるので、紙幣識別機もパチンコ機やスロットマシン機同士の隙間に設置される必要がある。特許文献１に開示される装置では、このような隙間への設置も難しい問題がある。
【００１３】
特許文献２に開示される紙幣処理装置は、紙幣処理口から挿入された紙幣を搬送する紙幣搬送機構７と、紙幣処理口に挿入された紙幣の有効性を識別する紙幣識別センサ３１と、紙幣が挿入方向に沿って搬送状態にあり、かつ紙幣識別センサ３１が紙幣の有効性を検知しているとき、搬送状態にある紙幣の先端を湾曲案内するガイド板３９ａ，３９ｂと、紙幣搬送機構７に対して並設される紙幣収容部と、挿入された紙幣が有効であった場合、当該紙幣を紙幣処理口側に一定の距離搬送するように紙幣搬送機構７をスイッチバック制御する制御手段と、スイッチバックされた紙幣を紙幣収容部に積層収容させ、かつ次に挿入される紙幣との間で仕分けを行なう仕分け機構５０とを有する。
【００１４】
特許文献２に開示される紙幣処理装置は、紙幣の挿入と識別および収容を実現できる。しかしながら、搬送に係る駆動装置や駆動機構が、収容部や搬送部に設けられることで、装置全体が複雑となる。この結果、パチンコ機やスロットマシン機同士の隙間に設置することが困難となる問題がある。これは、特許文献１と同様である。
【００１５】
また、駆動装置や駆動機構が複雑であることで、紙幣処理装置の大きさに対する紙幣の収容枚数が少なくなったり、収容された紙幣の取り出しが面倒になったりする問題を有している。
【００１６】
このように、従来技術における紙幣処理装置や紙幣識別装置は、狭い隙間に設置が容易でありつつ、収容や取出しなどの容易性を高めることが難しい問題もあった。
【００１７】
特に、金券識別装置は、パチンコ台やゲーム機器の隙間などの、非常に狭小な空間に設置される必要が高い。この場合には、金券識別装置は、薄型化が求められる。一方で、薄型化によって、保管される金券の枚数が減少することも好ましくない。減少すれば、金券識別装置（すなわち自動販売機や自動貸出機）からの金券取り出し作業が増加し、経営効率の低下や安全性の低下が生じうるからである。
【００１８】
以上をまとめると、特に遊戯用機械に用いられる金券識別装置は、次のようなスペックに対応する必要がある。
【００１９】
（１）複数の遊戯用機械のそれぞれの間であって非常に狭い狭小空間に確実に設置されること。
（２）狭小空間への設置がなされつつも、金券識別装置に必要な電気信号系統との接続ができること。
（３）遊戯者にとって使い勝手が良いこと。
（４）管理者（特に金券を管理する必要がある）にとって、確実に管理できること。
【００２０】
本発明は、従来技術の課題を解決すると共に、これら（１）〜（４）のスペックを満足する金券識別装置を提供することを目的とする。
【課題を解決するための手段】
【００２１】
上記課題に鑑み、本発明の金券識別装置は、遊戯用機械同士の間に設置される金券識別装置であって、筐体の前方に設けられ、金券の挿入を受け付ける挿入口と、挿入口から挿入された金券が通る挿入路と、挿入路に設けられ、挿入された金券を識別する識別部と、挿入路に挿入された金券を搬送する搬送駆動手段と、搬送駆動手段で搬送された金券を一時的に保管する保管部と、保管部を筐体の外部に排出する排出駆動手段と、筐体の前方に設けられ、保管部を筐体から排出する排出口と、を備え、搬送部および保管部とは、挿入方向に略平行な同一平面上に配置され、挿入口は、遊戯用機械を操作する遊戯者に近い側に設けられ、排出口は、遊戯用機械を操作する遊戯者から遠い側に設けられる。
【発明の効果】
【００２２】
本発明の金券識別装置は、金券の搬送に必要となる物理的領域と紙幣の搬送を実現する駆動手段とを、別領域に配置しつつ、全体として最適な構造を有することで、小型化および薄型化を実現できる。この結果、パチンコ台やスロットマシン台などの遊戯用機械同士の隙間にも容易に設置ができる。
【００２３】
また、本発明の金券識別装置は、遊戯用機械同士の隙間に設置される場合でも、遊戯者にとっての使いやすさが確保される。
【００２４】
また、本発明の金券識別装置では、金券の識別、搬送、収容、回収といった各要素が、相互に悪影響を及ぼさないようにしつつ配置されるので、取扱やメンテナンスが容易になる。この結果、本発明の金券識別装置は、管理者にとっても確実に管理できる。これらの結果、遊技場だけでなく様々な自動販売機や自動貸出機などに容易に適用できる。
【図面の簡単な説明】
【００２５】
【図１】本発明の実施の形態１における金券識別装置の斜視図である。
【図２】本発明の実施の形態１における金券識別装置の正面図である。
【図３】本発明の実施の形態１における金券識別装置の設置態様を示す模式図である。
【図４】金券識別装置１の側面の断面図を示している。
【図５】本発明の実施の形態１における識別部周辺の拡大図である。
【図６】本発明の実施の形態１における金券識別装置の内部詳細図である。
【図７】本発明の実施の形態１における金券識別装置の内部詳細図である。
【図８】本発明の実施の形態１における金券識別装置の斜視図である。
【図９】本発明の実施の形態１における金券識別装置の斜視図である。
【図１０】本発明の実施の形態１における金券識別装置の斜視図である。
【図１１】本発明の実施の形態２における金券識別装置の内部図である。
【図１２】実施の形態２における排出駆動機構の詳細図である。
【図１３】実施の形態２における排出駆動機構の詳細図である。
【図１４】本発明の実施の形態２における保管部の斜視図である。
【発明を実施するための形態】
【００２６】
本発明の第１の発明に係る金券識別装置は、遊戯用機械同士の間に設置される金券識別装置であって、筐体の前方に設けられ、金券の挿入を受け付ける挿入口と、挿入口から挿入された金券が通る挿入路と、挿入路に設けられ、挿入された金券を識別する識別部と、挿入路に挿入された金券を搬送する搬送駆動手段と、搬送駆動手段で搬送された金券を一時的に保管する保管部と、保管部を筐体の外部に排出する排出駆動手段と、筐体の前方に設けられ、保管部を筐体から排出する排出口と、を備え、搬送部および保管部とは、挿入方向に略平行な同一平面上に配置され、挿入口は、遊戯用機械を操作する遊戯者に近い側に設けられ、排出口は、遊戯用機械を操作する遊戯者から遠い側に設けられる。
【００２７】
この構成により、金券識別装置は、遊戯用機械同士の隙間に設置が可能となりつつ、ユーザーフレンドリーな使い勝手を提供できる。
【００２８】
本発明の第２の発明に係る金券識別装置では、第１の発明に加えて、筐体は、隣接する遊戯用機械同士の間に、縦方向に設置される。
【００２９】
この構成により、金券識別装置は、遊戯用機械同士の隙間であっても設置が可能である。
【００３０】
本発明の第３の発明に係る金券識別装置では、第１又は第２の発明に加えて、搬送駆動手段および排出駆動手段の少なくとも一方は、モーターを有し、モーターは、筐体内部の上方および下方の少なくとも一方に配置される。
【００３１】
この構成により、モーターによって搬送や排出が実現できる。
【００３２】
本発明の第４の発明に係る金券識別装置では、第１から第３のいずれかの発明に加えて、挿入路は、挿入口を基準として、テーパー部、屈曲部および湾曲部の少なくとも一部を有する。
【００３３】
この構成により、挿入口から保管部の金券を見ることが難しくなる。結果として、客の盗難への欲望を生じさせにくくなる。
【００３４】
本発明の第５の発明に係る金券識別装置では、第４の発明に加えて、挿入路が有するテーパー部、屈曲部および湾曲部の少なくとも一つは、挿入口から保管部に向かうに従い、保管部に近い側から遠い側に向かう。
【００３５】
この構成により、保管部の大きさを確保できる。
【００３６】
本発明の第６の発明に係る金券識別装置では、第１から第５のいずれかの発明に加えて、保管部は、筐体内部の上下において、上方余地および下方余地を生じさせる位置に設けられる。
【００３７】
この構成により、金券識別装置は、ノイズの影響を電気部系統に与えずに済む。また、全体として小型化できるように、電子部品や機械部品を配置できる。
【００３８】
本発明の第７の発明に係る金券識別装置では、第６の発明に加えて、識別部、搬送駆動手段および排出駆動手段の少なくとも一つを制御する制御手段を更に備え、制御手段は、電気信号を処理する電気部と、機械動作を処理する機械部とを有し、機械部および電気部のそれぞれは、上方余地および下方余地のいずれかに配置される。
【００３９】
この構成により、金券識別装置の小型化がはかられるように、電子部品や機械部品が配置できる。加えて、電気部と機械部とが、中央の保管部によって上下に分割されることで、相互にノイズなどの影響を及ぼすことが低減できる。
【００４０】
本発明の第８の発明に係る金券識別装置では、第７の発明に加えて、電気部は、複数の電子部品を実装する電子基板を含む。
【００４１】
この構成により、電子基板が、上方余地もしくは下方余地の広いレイアウト領域に実装できる。このため、筐体内部のレイアウトが容易になる。
【００４２】
本発明の第９の発明に係る金券識別装置では、第８の発明に加えて、電気部は、筐体外部との電気信号を接続するコネクタを有し、コネクタは、電気部から筐体の側面および底面の少なくとも一方に突出する。
【００４３】
この構成により、金券識別装置は、外部との電気信号のやり取りが容易に実現できる。
【００４４】
本発明の第１０の発明に係る金券識別装置では、第７から第９のいずれかの発明に加えて、機械部は、搬送手段に用いられる第１モーターおよび排出駆動手段に用いられる第２モーターを含む。
【００４５】
この構成により、ノイズ源となりやすいモーターが、電気部と分離して設けられる。また、金券識別装置の使い勝手に合わせた外形構造に内部構造を合わせることができる。
【００４６】
本発明の第１１の発明に係る金券識別装置では、第１から第１０のいずれかの発明に加えて、排出駆動手段は、保管部を排出口から排出する方向に圧力を付与する圧力付与部と、保管部の排出の停止および解除を制御するストッパーと、ストッパーを駆動するストッパー駆動部と、を有する。
【００４７】
この構成により、ストッパーが解除されれば、電気的あるいはモーターの駆動を必要とせず、保管部は筐体から排出される。この結果、保管部を筐体から排出するためだけの専用モーターを必要としない。結果として、金券識別装置の小型化・薄型化を実現し、さらに低コスト化も実現できる。
【００４８】
本発明の第１２の発明に係る金券識別装置では、第１１の発明に加えて、圧力付与部は、下方余地に配置され、ストッパーおよびストッパー駆動部は、上方余地に配置される。
【００４９】
この構成により、排出駆動手段に必要な要素が、筐体内部で適切にレイアウトされる。
【００５０】
本発明の第１３の発明に係る金券識別装置では、第１２の発明に加えて、圧力付与部は弾性体であり、弾性体は常に保管部に対して、排出する方向に圧力を付与続ける。
【００５１】
この構成により、保管部は、簡単な構造部品で排出される。
【００５２】
本発明の第１４の発明に係る金券識別装置では、第１３の発明に加えて、弾性体を固定すると共に所定長さを有する固定部材を更に備え、固定部材は、当該固定部材の支点を固定する支点固定部と、支点固定部を基準として移動可能な力点となる動作部と、弾性体の一端である係止端を係止すると共に該係止する部分を移動可能な移動範囲を有する移動部と、を有し、係止端は、支点固定部と動作部との間の移動範囲を移動し、保管部が筐体内部に収容される場合には、係止端は、移動部を移動して支点固定部に近づき、動作部と係止端との距離が大きくなり（以下、「第１の場合」という）、保管部が筐体外部から排出される場合には、係止端は、移動部を移動して動作部に近づき、動作部と係止端の距離が短くなり（以下、「第２の場合」という）、第２の場合は、第１の場合よりも、弾性体による保管部への圧力付与が大きくなる
【００５３】
この構成により、保管部の排出時には、より強い圧力が付与された状態が維持される。
【００５４】
本発明の第１５の発明に係る金券識別装置では、第１から第１４のいずれかの発明に加えて、保管部は、金券の側面に沿って該側面を支持する一対の側面支持部材を有し、一対の側面支持部材のそれぞれは、金券の平面方向を支える底面より立設しており、一対の側面支持部材のそれぞれにおける排出口側の高さは、一対の側面支持部材のそれぞれにおける逆側の高さよりも低い。
【００５５】
この構成により、保管部の収納量を減らさずに、排出口からの排出を可能とできる。
【００５６】
本発明の第１６の発明に係る金券識別装置では、第１５の発明に加えて、一対の側面支持部材のそれぞれにおける排出口側の高さは、排出口の幅以下である。
【００５７】
この構成により、保管部は、排出口からその一部を排出させることができる。
【００５８】
本発明の第１７の発明に係る金券識別装置では、第１５又は第１６の発明に加えて、一対の側面支持部材の高さが低い範囲は、保管部が排出口から排出される際に、保管部に保管されている金券が露出する長さに基づく。
【００５９】
この構成により、金券の回収が可能な程度に、保管部は排出される。
【００６０】
以下、図面を参照しながら、本発明の実施の形態を説明する。
【００６１】
（実施の形態１）
【００６２】
（全体概要）
まず、実施の形態１における金券識別装置の全体概要を、図１〜図３を用いて説明する。図１は、本発明の実施の形態１における金券識別装置の斜視図である。図１は、金券識別装置１の外観を示している。下記に説明する金券識別装置１の要素の一部は、金券識別装置１の内部の要素であるが、全体を把握する便宜上、全体概要においては、内部の要素も含めて外観を示す図１で説明する。
【００６３】
図２は、本発明の実施の形態１における金券識別装置の正面図である。図２は、左側と右側に、保管部６が排出されていない状態と保管部６が排出されている状態とを示している。図３は、本発明の実施の形態１における金券識別装置の設置態様を示す模式図である。
【００６４】
金券識別装置１は、自動貸出機などに含まれて設置されることが多い。特に、図３に示されるように遊戯用機械１００同士の間の自動貸出機に含まれて設置されることが多い。
【００６５】
図３では、遊戯用機械１００として、パチンコ機やスロットマシン機が示されている。このようなパチンコ機やスロットマシン機は、パチンコ玉やゲーム用コインを必要とする。遊戯者２００は、遊戯用機械１００の前に着座して遊戯を行う。もちろん、多数の遊戯用機械１００が遊戯店において設置されており、遊戯者２００は、多数の遊戯用機械１００のいずれかの前に着座して遊戯を行う。
【００６６】
遊戯者２００は、遊戯の実施に当たってパチンコ玉やゲーム用コインを必要とする。このとき、遊戯中に簡単にパチンコ玉やゲーム用コインを追加して入手したいと考える。このため、パチンコ機やスロットマシン機などの遊戯用機械１００同士の間に、パチンコ玉やゲーム用コインなどの自動貸出機５０が設置される。この自動貸出機５０は、台間機とも呼ばれる。
【００６７】
自動貸出機５０は、パチンコ玉やゲーム用コインを貸し出すに当たって、遊戯者２００からの金券を受けとる。金券は、紙幣であったり、専用のプリペイドカードであったり、商品券などであったりする。このため、自動貸出機５０は、金券識別装置１を含んで設置されることが多くなる。
【００６８】
すなわち、金券識別装置１は、遊戯用機械１００同士の隙間に設置される必要がある。この隙間は非常に狭いので、金券識別装置１は、この隙間となる遊戯用機械１００同士の間に縦型に設置される。このため、金券識別装置１は、遊戯用機械１００同士の隙間に縦型に設置されるように薄型でありつつ、縦型に適した要素の配置や要素の形態を必要とする。
【００６９】
金券識別装置１は、図１に示されるように、挿入口３、挿入路３１、識別部４、搬送駆動手段９、保管部６、排出駆動手段８、排出口７を備える。また、この金券識別装置１は、これらの要素を筐体２に格納する。金券識別装置１は、筐体２によってその外形を形成できる。ここで、筐体２は、一定の奥行きと高さを有しつつ、幅の小さい薄型かつ縦型である。このため、金券識別装置１も、幅の小さな薄型の外形を有するようになる。薄型の外形であることで、狭い隙間において縦方向に、金券識別装置１が、設置される。
【００７０】
挿入口３は、筐体２の前方に設けられ金券の挿入を受け付ける。挿入路３１は、挿入口３から挿入された金券を通す。識別部４は、挿入路３１において設けられ、金券を識別する。搬送駆動手段９は、挿入路３１に挿入された金券を搬送する。保管部６は、搬送駆動手段９で搬送された金券を一時的に保管する。排出駆動手段８は、保管部６を筐体２の前方であって外部に排出する。排出口７は、この排出駆動手段８によって排出される保管部６を排出する出口となる。
【００７１】
また、挿入路３１と保管部６とは、挿入口３を基点とした挿入方向において、略平行な同一平面上に配置される。また、保管部６は、筐体２の縦方向に沿って金券を保管する形態で設けられる。加えて、搬送駆動手段９および排出駆動手段８を構成する機械部品や電子部品は、縦型（縦長であって薄い）の筐体２の縦方向に沿って実装されている。このような形態と実装により、金券識別装置１は、遊戯用機械１００同士の狭い隙間に縦型にして設置することが可能となる。
【００７２】
金券識別装置１は、筐体２をその外形上の本体部としつつ、このような要素を有している。金券識別装置１は、図３を用いて説明した通り、遊戯用機械１００同士の間に縦型に設置される。これは遊戯用機械１００同士の隙間が狭く、この隙間に縦型に設置されることが要求されるからである。また、図３に示されるように、遊戯用機械１００のそれぞれに対面する形で、遊戯者２００は遊戯用機械１００での遊戯を楽しむ。
【００７３】
このとき、遊戯者２００は、遊戯用機械１００の前に着座したまま、遊戯を続行しながら、必要に応じてパチンコ玉やゲーム用コインを借り出したい。このため、図２、図３に示されるように、遊戯者２００が金券を挿入する際に必要となる挿入口３は、遊戯用機械１００を操作する遊戯者２００に近い側に設けられる。一方、金券を一時的に保管している保管部６が排出される排出口７は、遊戯用機械１００を操作する遊戯者２００から遠い側に設けられる。
【００７４】
排出口７から保管部６の排出を受けるのは、遊戯者２００ではなく、遊戯用機械１００の管理者であるからである。
【００７５】
このように、実施の形態１の金券識別装置１は、遊戯用機械１００同士の狭い隙間に縦型に設置することができる。加えて、遊戯者２００および管理者のいずれにとっても使い勝手の良い挿入口３と排出口７の配置によって、使い勝手と管理の容易性とを両立できる。
【００７６】
（動作概要）
挿入口３は、筐体２の前方に設けられ、金券の挿入を受け付ける。筐体２は、金券識別装置１の外形を形成するので、挿入口３は、設置された金券識別装置１の前方に位置することになる。遊戯者２００は、この挿入口３に金券を投入する。金券は、紙幣、商品券、プリペイドカード、ＩＣカードおよびＩＤカードの少なくとも一つを含む。一般的には紙幣が金券として、挿入口３に投入されることが多いが、専用の金券や電子マネーに対応するカード媒体が投入されてもよい。
【００７７】
挿入口３に挿入された金券は、挿入路３１（図１、図２では、筐体２内部であり、図面上露出していない）に入り、挿入路３１を通って搬送駆動手段９によって、保管部６に向けて搬送される。このとき、挿入口３から挿入路３１に入る過程に識別部４が設けられる。挿入路３１に挿入された金券は、識別部４に到達できるので、識別部４が役割を実行できる。
【００７８】
識別部４は、挿入された金券を識別する。金券が識別部４の位置まで到達しているので、識別部４は、金券を視認することができ、この視認を介して金券の真贋および券種のそれぞれを識別できる。識別部４が、真贋や券種を識別できることで、金券識別装置１は、自動販売機や自動貸出機での処理を実行させることができる。
【００７９】
搬送駆動手段９は、挿入路３１に挿入された金券を保管部６に向けて搬送する。なお、識別部４で真券と識別された金券については、搬送駆動手段９は保管部６に搬送し、識別部４で偽造金券と識別された金券については、搬送駆動手段９は、必要に応じて挿入口３から排出されるように金券を搬送する。搬送駆動手段９は、金券に直接接触して搬送させるローラーやこれを回転させるモーターなどを備える。また、これらの機械部品の動作に必要となる電気信号を処理する電子部品も備える。電子部品等は、機械部品の動作を制御する制御回路となる。
【００８０】
搬送駆動手段９は、真券と識別された金券を、最終的に挿入路３１の後方に位置する保管部６に搬送する。
【００８１】
保管部６は、搬送駆動手段９で搬送された金券を一時的に保管する。金券識別装置１は、自動販売機や自動貸出機で必要となる金券が挿入された後で、所定の回収まで金券を保管しておく必要がある。保管部６は、回収までの一時的な期間において、金券を保管する。金券が紙幣である場合には、保管部６は、所定枚数の紙幣を保管できる。
【００８２】
図１、図２には、保管部６に保管されている金券２０が示されている。保管部６は、このように所定枚数を限度として金券２０を保管できる。このとき、図１に示されるように挿入路３１と保管部６は、挿入口３を基点として略平行な同一平面上に配置される。これにより、挿入口３から挿入されて挿入路３１を通って保管部６に保管される金券２０の移動動線には無駄がない。言い換えれば、移動動線は、挿入口３から筐体２の奥行き方向に沿ったものとなる。この結果、金券識別装置１は、上述の通り縦型であって幅を薄くできる。なお、ここでいう同一平面や同一直線とは、これらの要素が、筐体２内部で大体において重なる平面や直線上に位置することを意味する。すなわち、金券識別装置１全体が薄型・小型化されることが実現される意味であって、厳密に同じ直線や平面上に位置することを要求するものではない。
【００８３】
保管部６は、図２の右側に示されるように、金券２０の回収を必要とする場合には、排出駆動手段８の駆動によって、排出口７から排出される。なお、保管部６は、排出口７から全て排出されず、その一部のみが排出される。また、後述するが、保管部６は、排出駆動手段８の備える弾性体による圧力付与のみで、排出口７から排出される。
【００８４】
排出方向への移動においては、専用モーターを必要とせず、弾性体によって、移動して、排出口７から排出される。このため、実施の形態１の金券識別装置１は、保管部６の排出のためだけの専用モーターを必要とせず、全体の小型化・薄型化および低コスト化を実現できる。
【００８５】
また、図２の右側のように、保管部６は、その一部のみが排出口７から排出される。しかしながら、一部のみが排出される場合でも、図２の右側に示されるように、保管部６に保管されている金券２０の一部が露出する。この露出によって、管理者は、保管部６に保管されている金券２０を回収できる。さらに、排出された保管部６の前方が折り曲げられることによって、保管部６の中に保管されている金券を、管理者は回収しやすくなる。
【００８６】
また、排出口７から排出される保管部６が上述のように同一平面上に配置されていることで、金券２０の排出が金券２０の挿入方向と平行の直線上で行われる。このとき、挿入口３は、遊戯者２００に近い側であり、排出口７は遊戯者２００から遠い側であるので、管理も使用も容易である。
【００８７】
このように金券識別装置１は、自動貸出機などに組み込まれて設置され、金券２０が投入されると、その金券２０の額に対応してパチンコ玉やゲーム用コインが貸し出される。
【００８８】
次に、各部の詳細について説明する。
【００８９】
（挿入口および挿入路）
挿入口３は、上述の通り、金券２０の挿入を受け付けると共に遊戯者２００に近い側に設けられる。挿入口３は、金券２０の大きさに合わせた形状と大きさを有したスリット状であることが適当である。挿入口３は、実際に挿入された金券２０が一定量挿入される挿入路３１に繋がっている。
【００９０】
このため、挿入口３は、遊戯者２００が金券２０を挿入されてから挿入路３１にスムーズに入れる奥行きに繋がることが好ましい。挿入口３から挿入された金券２０は、遊戯者２００の手作業による送り込みによって挿入路３１の一部に到達できることが好ましいからである。挿入路３１の後半においては、遊戯者２００の手作業ではなく、搬送駆動手段９によって金券２０は搬送される。
【００９１】
挿入路３１は、挿入口３に続いて設けられる部分であるので、挿入口３から保管部６にかけてまっすぐに延びていてもよい。このような構造であれば、挿入された金券２０は、スムーズかつ容易に保管部６にまで搬送される。
【００９２】
一方、挿入路３１は、図４に示されるように、挿入口３を基準としてテーパー部、屈曲部および湾曲部の少なくとも一部を有していてもよい。図４は、本発明の実施の形態１における金券識別装置の側面図である。図４は、金券識別装置１の側面の断面図を示している。
【００９３】
挿入路３１は、挿入口３を基準として、湾曲している。すなわち、湾曲部３１を有している。このように挿入路３１が、テーパー部、屈曲部および湾曲部３１の少なくとも一部を有することで、挿入口３からその奥にある金券２０の保管部６を、遊戯者２００が見ることが難しくなる。
【００９４】
挿入口３から覗き込んで保管部６にある金券２０を遊戯者２００が見ることができる場合には、遊戯者２００が保管部６の金券２０を盗み出すような誘惑に駆られることがある。あるいは、悪質な遊戯者２００が挿入口３を通じて、保管部６に保管されている金券２０を盗み出すこともありえる。
【００９５】
このような盗難や盗難への誘惑を防止するために、挿入路３１が、湾曲しているなどで挿入口３から保管部６に保管されている金券２０を覗き込まれないようにすることは、好適である。もちろん、湾曲部３１だけでなく、テーパー部や屈曲部と混在して設けられても良い。
【００９６】
また、挿入路３１がこのようにテーパー部、屈曲部および湾曲部の少なくとも一部を有することで、挿入口３と排出口７との間隔は狭いままでも、内部における挿入路３１と保管部６との筐体２における幅方向での間隔をあけることができる。この結果、筐体２の幅方向が薄くせざるを得なくても、保管部６の幅を確保でき、保管部６が保管できる金券２０の枚数を確保できる。
【００９７】
この点で、挿入路３１が有するテーパー部、屈曲部および湾曲部の少なくとも一つは、挿入口３から保管部６に向かう。この方向性を有することで、保管部６の幅を確保しつつ、盗難防止などを実現できる。
【００９８】
（識別部）
挿入路３１の途中において識別部４が設けられる。識別部４は、複数の発光部およびこの発光部に対応する複数の受光部を備える。図５は、本発明の実施の形態１における識別部周辺の拡大図である。
【００９９】
識別部４は、複数の発光部と複数の受光部とを有する。この複数の発光部４１および複数の受光部は、発光部からの光とこれの受けによって、金券２０に対しての反射光や透過光を確認できる。この反射光や透過光を用いて識別部４は、挿入路３１に挿入された金券２０の真贋と券種を識別する。
【０１００】
複数の発光部および受光部の少なくとも一部は、挿入検知センサー（図５には図示せず）を構成する。あるいは、複数の発光部および受光部の少なくとも一部が、識別用センサー４２を構成する。挿入検知センサーは、金券２０が挿入されたことを検知する。挿入検知センサーは、発光部と受光部との光のやり取りにおいて、波長や光度の変化を検出することで、挿入路３１に金券２０が挿入されたことを把握できる。
【０１０１】
また、識別用センサー４２は、発光部から金券２０を透過した透過光を利用したり、発光部から金券２０を反射した反射光を利用したりして、挿入された金券２０の真贋や券種を識別する。このとき、透過光や反射光の光量、波長、周波数などの変化を利用して、識別処理を実行する。反射光や透過光の光量、波長などの変化に基づく識別においては、予め金券２０の種類によって想定される変化を閾値や参考値として記憶しておくことで、識別部４の識別用センサー４２は、金券２０の真贋や種類を識別する。
【０１０２】
例えば参考値と比較することで、金券２０の種類（１０００円札、２，０００円札、５，０００円札、１０，０００円札）のいずれかを識別できる。あるいはこれらのいずれにも該当しない光量や波長を検出する場合には、識別用センサー４２は、挿入口３から挿入された金券２０を、偽造であると識別する。
【０１０３】
金券２０は、紙の種類、印刷の凸凹、印刷インクの種類などを様々に工夫してあり、反射光や透過光において、特定の光量や波長を示すことが想定されている。本来のあるべき光量や波長のいずれにも合致しないということは、偽造と考えられるからである。
【０１０４】
識別部４が挿入された金券２０が偽造であると判断する場合には、識別部４は、その識別結果を制御手段１０もしくは搬送駆動手段９に通知する。通知を受けた搬送駆動手段９は、逆方向の駆動力を生じさせて、挿入された金券２０を、挿入口３から排出する。こうして、偽造金券が保管部６に保管されてしまうことおよび偽装金券によりパチンコ玉やゲーム用コインが貸し出されてしまうことが防止される。
【０１０５】
なお、識別部４は、発光部と受光部とによる光の種々のパラメータを用いて、金券２０の挿入や真贋の識別を行うことを説明したが、光のパラメータ以外のパラメータを用いて挿入の有無や真贋を識別しても良い。例えば、識別部４は、磁気を用いて、金券の挿入、真贋、種類を識別しても良い。
【０１０６】
識別部４は、このように挿入口３から挿入された金券２０の真贋と券種を識別し、偽造である場合には、排出するなどして盗難や犯罪を未然防止できる。
【０１０７】
（搬送処理）
搬送駆動手段９は、挿入路３１に挿入された金券２０を保管部６に向けて搬送する。なお、上述の通り、金券２０が偽造であると判断される場合には、挿入口３の方向に搬送する。
【０１０８】
搬送駆動手段９は、識別部４、搬送駆動手段９および排出駆動手段８の少なくとも一つを制御する制御手段１０によって制御される。制御手段１０は、電気信号を処理する電気部と機械動作を処理する機械部を有する。
【０１０９】
搬送駆動手段９および排出駆動手段８の少なくとも一方は、モーターを有する。ここで、搬送駆動手段９は、図６に示されるように、モーター９２を備えている。モーター９１は、保管部６に到達した金券を押さえつけるための駆動部であると共に、保管部６の排出の停止・解除を行うストッパー８００を駆動する駆動部である。モーター９１は、ストーパー駆動部８０１を駆動できる。図６は、本発明の実施の形態１における金券識別装置の内部詳細図である。
【０１１０】
搬送駆動手段９は、モーター９２を用いて、これに連結する駆動機構を用いて、挿入路３１における金券２０を保管部６に向けて搬送する。
【０１１１】
このとき、搬送駆動手段９は、挿入路３１に挿入された金券２０に直接接触してこれを所定方向に送るために回転可能なローラーを更に備えていることも好適である。モーター９２が、このローラーを回転させることで、搬送駆動手段９は、金券２０を保管部６の方向もしくは挿入口３の方向に搬送できる。
【０１１２】
なお、図６では搬送駆動手段９を筐体２の上部方向に位置するものとして符号を付与している。しかし、搬送駆動手段９は、単一の部品や機構だけで構成されるものではなく、機械部品や電気部品などの様々な部品や機構の組み合わせを有する。このため、搬送駆動手段９は、図６の符号を付与された位置だけで実現されるものではない。筐体２内部の様々な場所に配置される複数の部品や機構の組み合わせが、搬送駆動手段９として把握される。要は、搬送駆動手段９は、挿入路３１に挿入された金券２０を、所定方向に搬送するのに必要な作業を実行する要素である。
【０１１３】
（保管部）
保管部６は、搬送駆動手段９によって搬送された金券２０を保管する。保管部６は、図１より明らかなように、筐体２内部に設けられる空間であり、排出口７から排出可能な独立したユニットである。また保管部６は、金券２０の縦横にあわせたサイズを有している（もちろん、金券２０が紙幣であればこれに合わせたサイズを有していればよいし、プリペイドカードであればこれにあわせたサイズを有していればよい）。
【０１１４】
また、保管部６は、所定枚数の金券２０を保管できる厚みを有している。このとき、保管部６は、金券識別装置１が遊戯用機械１００同士の間の隙間に縦型に設置されることから、筐体２内部で縦方向に金券２０を保管できる構造を有している。
【０１１５】
図２からも明らかな通り、保管部６が排出口３から排出される場合には、その縦方向に沿って金券２０が保管されている。このように、金券２０を筐体２の縦方向に沿って保管できることで、保管部６が筐体２の幅方向を拡げることがなく、筐体２の薄型を実現できる。
【０１１６】
また、保管部６は、筐体２内部の上下において上方余地２１と下方余地２２とを生じさせる位置に設けられることが好ましい。図７は、本発明の実施の形態１における金券識別装置の内部詳細図である。図７は、図６と同じように内部が可視できる状態で示している。
【０１１７】
保管部６は、筐体２内部の上下方向におけるおおまかな中央付近に設けられる。加えて、保管部６は、横長の金券２０に合わせて、筐体２の奥行きを利用して金券２０の横長に対応している。このように筐体２内部で保管部６が配置されることで、筐体２の上方に上方余地２１と、筐体２の下方に下方余地２２とを形成できる。
【０１１８】
このように、実施の形態１における金券識別装置１は、縦型に設置されることを前提として、上方余地２１と下方余地２２とを形成できるように保管部６が配置される。このような配置をされることで、上方余地２１と下方余地２２に、様々な要素を分配できる。この結果、諸般の問題を生じさせずに、機械部品や電子部品を最適にレイアウトできる。
【０１１９】
例えば、機械部品を主とする機械部は上方余地２１に配置され、電子部品を主とする電気部は下方余地２２に配置される。保管部６が、筐体２の上下方向の略中央付近に配置されることで生じる上方余地２１と下方余地２２とに、機械部および電気部のそれぞれを分割してレイアウトすることで、レイアウト自由度が高まる。レイアウト自由度が高まれば、より小型化・薄型化が求められる筐体２において、小型化等を実現しやすくなる。
【０１２０】
また、レイアウトの自由度が高いことで、より小型化等を実現できる。
【０１２１】
加えて、機械部と電気部とが、上方余地と下方余地とに分割されることで、相互に生じうるノイズを、相手方に影響を及ぼすことがなくなるメリットもある。
【０１２２】
また、保管部６は、挿入口３および排出口７とに繋がる。このため、保管部６が筐体２の上下方向における中央付近に配置されることで、挿入口３や排出口７が、筐体２の上下方向の中央付近に配置されることになり、遊戯者２００や管理者の使い勝手がよくなる。
【０１２３】
また、保管部６は、保管部６に搬送されて到達した金券２０を、収納しやすいように保管部６に押し当てる押し当て部を有することもよい。押し当て部によって金券２０が保管部６に押し当てられることで、保管部６での収容枚数が向上できる。
【０１２４】
押し当て部は、弾性力を有しており、弾性力を用いて金券２０の一方の面に圧力を付与する。例えば、伸縮性のあるフレームと弾性体との組み合わせから押し当て部が構成されており、弾性体による弾性力によって、フレームが伸縮する。このフレームの伸縮によって、保管部６に到達する金券２０をある方向に押し当てる。フレームは伸縮性があるので、保管部６に保管される金券２０の枚数の変化に応じることが可能である。
【０１２５】
あるいは、押し当て部は、金券２０に圧力を付与する押し当て板と、この押し当て板の圧力を生じさせる弾性機構とを有することでもよい。押し当て板は、フレームと同様に、弾性機構の圧力と押し当て対象となる金券２０の厚みに応じて、伸縮できる。押し当て板が、金券２０に接触しながら圧力を付与できることで、保管部６に到達する金券２０を次々と押し当てる。こうして、保管部６は、次々と挿入路３１を介して挿入される金券２０を、収納密度を高めつつ、保管できる。
【０１２６】
なお、この押し当て部は、モーター９１によって動作すればよい。モーター９１は、この押し当て部の動作およびストッパー駆動部の動作を、単一のモーターで実現できる。
【０１２７】
（制御手段）
制御手段１０は、識別部４、搬送駆動手段９及び排出駆動手段８の少なくとも一つを制御する。ここで、制御手段１０は、電子部品を主とする電気部１１０と、機械部品を主とする機械部１１１とを有する。このため、制御手段１０は、筐体２内部の様々な場所に配置される複数の要素によって構成される。
【０１２８】
筐体２内部において、筐体２の上下方向の略中央に保管部６が配置される。保管部６が略中央に配置されることで、筐体２の上部に上方余地２１が生じ、下部に下方余地２２が生じる。すなわち、筐体２内部は、上下方向に３分割された領域を有することになる。
【０１２９】
保管部６は、その前方（遊戯者側）で、挿入口３と排出口７と繋がっている。保管部６が、筐体２の上下方向の略中央に配置されることで、この挿入口３および排出口７も、筐体２の前方の略中央に位置できる。この結果、遊戯者にとって、金券識別装置１の使い勝手が良くなる。このように、保管部６が、筐体２の上下方向の略中央に配置されることで、遊戯者にとってのユーザーフレンドリーが高まる。
【０１３０】
加えて、上述の通り、保管部６によって筐体２が上下方向に３分割されるので、上方余地２１と下方余地２２とが生じる。これら上方余地２１と下方余地２２は、筐体２内部に必要となる電子部品や機械部品のレイアウト自由度を与えることができる。
【０１３１】
制御手段１０は、電気部１１０と機械部１１１とを有しているが、電気部１１０および機械部１１１のそれぞれは、上方余地２１および下方余地２２のいずれかに配置される。図７では、上方余地２１に機械部１１１が配置されている。このため、機械部１１１の中核要素であるモーター９１、９２は、上方余地２１にレイアウトされている。
【０１３２】
一方、図７では、下方余地２２に電気部１１０が配置されている。このため、電子部品や半導体素子などを実装する電子基板も、下方余地２２にレイアウトされる。電子基板は、一定の大きさを必要とするので、下方余地２２を有効活用して電子基板が実装できることは、レイアウト自由度で非常に好適である。
【０１３３】
このように、電気部１１０と機械部１１１のそれぞれが、下方余地２２と上方余地２１に分割されてレイアウトされることで、レイアウト自由度が高まるだけでなく、レイアウト自由度が高い結果、高密度実装が可能となる。高密度実装が可能となれば、筐体２の小型化・薄型化が実現できる。
【０１３４】
また、レイアウト自由度が高いことで、製造ラインでの負担が下がり、製造コストの低下にも寄与できる。もちろん、レイアウト自由度が高く、無理のないレイアウトができることは、金券識別装置１の使用における耐久性も高めるメリットがある。
【０１３５】
図７では、電気部１１０が下方余地２２に配置され、機械部１１１が上方余地２１に配置されているが、逆の配置でも良い。このように、上方余地２１と下方余地２２とに、電気部１１０と機械部１１１とが分割されて配置されることで、相互に与えうる影響を防止しやすくなる。
【０１３６】
例えば、機械部１１１は、モーター９１、９２を備えている。モーター９１、９２は、その回転動作や磁場によってノイズを生じさせうる可能性がある。また、モーター９１、９２は、他の電子部品に比較して高い電圧を必要とする。このため、モーター９１、９２を始めとした機械部１１１は、ノイズを発生させやすい。
【０１３７】
一方で、電子基板を中心とする電気部１１０は、低い電圧で動作するので、ノイズの影響を非常に受けやすい。このような状況であっても、電気部１１０と機械部１１１が、下方余地２２と上方余地２１に分割されているので、このノイズの影響を最小限に抑えることができる。
【０１３８】
とくに、モーター９１．９２は、モーターだけでなく、これに関る駆動部材や連結部材、あるいは電力供給路などが、ノイズを発生させる可能性がある。図６、図７に示されるように、実施の形態１における金券識別装置１は、略中央の保管部６によって、上方余地２１と下方余地２２とに分割された上で、電気部１１０と機械部１１１が配置される。このことにより、モーター９１、９２を始めとした周辺要素（連結部材や電力供給路）からのノイズが、電気部１１０に影響を及ぼしにくい。
【０１３９】
当然ながら、逆も然りである。すなわち、電気部１１０で生じうるノイズが、機械部１１１に影響を及ぼしにくいメリットもある。
【０１４０】
なお、機械部１１１が上方余地２１に配置されるか下方余地２２に配置されるかについては、機械部１１１の動作速度、動作電圧及び動作方向の少なくとも一つを基準として分割されればよい。このような基準によって分割される（部品等が分配される）ことで、ノイズの発生やノイズの影響を低減できる。こうして電気部１１０への影響を抑えやすくなる（機械部が単一である場合に比べて）。
【０１４１】
また、電気部１１０は、筐体２外部との電気信号を接続するコネクタ１１２を有している。図８は、このコネクタ１１２を示している。図８は、本発明の実施の形態１における金券識別装置の斜視図である。電気部１１０は、コネクタ１１２を有しており、筐体２の側面から、このコネクタ１１２が露出している。
【０１４２】
もちろん、筐体２の側面ではなく底面からコネクタ１１２が露出しても良い。コネクタ１１２は、後述するように外部の電気配線や電子基板と電気信号をやり取りする接点である。金券識別装置１は、遊戯用機械１００同士の隙間に設置される。このとき、遊戯用機械１００の裏や下方においては、金券識別装置１と電気信号をやり取りする様々な電気配線や電子基板を備えている。
【０１４３】
金券識別装置１は、これらの遊戯用機械１００の裏や下方にある電気配線や電子基板と電気信号をやり取りする必要がある。コネクタ１１２が、筐体２の側面もしくは底面から露出していることで、この電気信号のやり取りのための電気的接続が容易となる。電気配線などが、このコネクタ１１２に接続されれば良いからである。もちろん、メンテナンスも容易になるメリットがある。
【０１４４】
このように、筐体２内部で、電気部１１０と機械部１１１とが適切に分割されることで、ノイズなどの影響を低減しつつ、外部との電気信号のやり取りを実現し、さらには筐体２に要求される薄型や縦型を実現できる。加えて、遊戯者２００や管理者にとって使い勝手の良い外部構成（挿入口３や排出口７の位置）を実現できる。
【０１４５】
（排出処理）
排出駆動手段８は、保管部６を外部に排出する。
【０１４６】
図９は、本発明の実施の形態１における金券識別装置の斜視図である。金券識別装置１は、図１などを用いて説明した通り、排出駆動手段８を内蔵している。
【０１４７】
排出駆動手段８は、保管部６を、排出口７から外部に排出させる。図９は、排出駆動手段８によって、保管部６が、排出口７から外部に排出された状態を示している。保管部６の一部が、排出口７より筐体２の外部に飛び出している。保管部６は、金券２０を保管しており、この金券２０の一部も筐体２の外部に飛び出している。
【０１４８】
管理者は、この飛び出している部分から、手作業で金券２０を取り出す。これにより、管理者は、保管部６に保管されている金券２０を回収できる。
【０１４９】
図１０は、本発明の実施の形態１における金券識別装置の斜視図である。図１０は、図９の状態となった金券識別装置１を、逆方向から見た状態を示している。このため、保管部６が排出口７から排出されて、金券２０が露出している状態が、図１０には示されている。
【０１５０】
また、保管部６は、保管部蓋６１を有している。保管部６が排出口７から排出されると、この保管部蓋６１が折れ曲がる。この折れ曲がりによって、金券２０が取り出しやすくなる。特に、保管部６は、排出口７から全体が排出されるのではなく、一部のみが排出される。この一部のみの排出によって、排出口７から保管部６が取り外されて紛失したり盗難されたりすることが防止される。一方で、一部のみの排出なので、金券２０の回収作業に手間が掛かる。
【０１５１】
これに対応するために、保管部蓋６１が折れ曲がる。図１０は、保管部蓋６１が折れ曲がった状態を示している。このように折れ曲がれば、金券２０の露出部分は広がり、手作業での回収が容易となる。
【０１５２】
このように、金券識別装置１は、保管部６の排出とこれによる金券２０の回収を金券識別装置１単体で行うことができる。
【０１５３】
以上、実施の形態１における金券識別装置１は、遊戯用機械１００同士の隙間に設置できる大きさに合わせて要素を含むことができ、ノイズなどの影響も防止できる。加えて、挿入口３と排出口７の位置関係の特定により、遊戯者２００および管理者にとっての使い勝手を高めることもできる。
【０１５４】
（実施の形態２）
【０１５５】
次に、実施の形態２について説明する。
【０１５６】
実施の形態２では、各要素やその他の種々の追加的な工夫について説明する。
【０１５７】
（排出駆動手段）
図１１は、本発明の実施の形態２における金券識別装置の内部図である。排出駆動手段８は、下方余地２２と上方余地２１とに必要な要素を振り分けて配置している。排出駆動手段８は、保管部６を排出口から排出する方向に圧力を付与する圧力付与部８１、保管部６の排出の停止及び解除を制御するストッパー８００と、ストッパーを駆動するストッパー駆動部８０１を備える。ストッパー駆動部８０１は、モーター９１によって駆動される。
【０１５８】
ここで、圧力付与部８１は、下方余地２２に配置され、残りの要素であるストッパー８００とストッパー駆動部８０１は、上方余地２１に配置される。金券識別装置１は、縦型に設置される。このため、保管部６は下方に重力によって下がりやすい。言い換えれば、保管部６は、下方に重力による圧力をかける。特に、保管部６が、金券を収容している場合にはこうなる。
【０１５９】
圧力付与部８１は、保管部６を排出口７から排出する圧力を付与するので、下方余地２２に圧力付与部８１が配置されることで、保管部６を排出しやすくなる。一方で、ストッパー８００は、保管部６に対して突出している場合には、圧力付与部８１の圧力に関らず、保管部６の排出を停止できる。一方、ストッパー８００が保管部６に対する突出を解消すると、圧力付与部８１の圧力によって、保管部６が排出される（排出が解除される）。
【０１６０】
このような理由で、ストッパー８００は、保管部６に圧力付与部８１による排出圧力が付与されている状態で、保管部６の排出を停止したり許可したりできるので、圧力付与部８１と逆側である上方余地２１に設置されることが適当である。
【０１６１】
すなわち、排出圧力を付与する圧力付与部８１とこれを停止させる機構（ストッパー８００）が、上下に分割されることで、排出と停止とが確実になる。
【０１６２】
圧力付与部８１は、弾性体８１Ａを備える。図１１では、弾性体８１Ａの例としてばねが示されている。このばねなどによる弾性体８１Ａは、保管部６に対して、常に排出口７から排出される排出方向に、圧力を付与する。すなわち、金券識別装置１では、保管部６を排出口７から排出するに当たって、専用のモーターなどによる駆動を必要とせず、この弾性体８１Ａによる排出圧力を活用する。
【０１６３】
ストッパー８００は、上方余地２１から保管部６に対して貫通する貫通孔を上下できる。すなわち、ストッパー８００は、貫通孔に差し込まれている状態であれば、保管部６に引っ掛かりを生じさせる。この引っ掛かりにより、弾性体８１Ａからの排出圧力が常に付与されていても、保管部６は、排出されず筐体２内部で停止したままである。
【０１６４】
一方、ストッパー駆動部８０１は、このストッパー８００を上下させることができる。例えば、金券識別装置１に設けられる排出スイッチなどが起動されると、ストッパー駆動部８０１は、上昇して、貫通孔から上に戻る。この結果、ストッパー８００が貫通孔から抜け出た状態となり、ストッパー８００は、保管部６に引っ掛かりを与えない状態となる。
【０１６５】
この引っ掛かりがなくなった状態となると、保管部６には、弾性体８１Ａによる排出圧力が常に付与されているので、保管部６は、排出口７から排出される。
【０１６６】
このように、保管部６には、圧力付与部８１の備える弾性体８１Ａによる排出圧力が常に付与されている（なお、常にとは、厳密に常にということを意味するのではない。例えば、故障あるいは何らかの理由や改造などで、圧力を付与しない期間が生じることを除外する意図ではない）。
【０１６７】
ストッパー８００がストッパー駆動部８０１によって上下して、保管部６に引っ掛かりを付与したり、保管部６を開放したりできる。このストッパー８００の動作によって、圧力付与部８１からの圧力が開放されれば、保管部６は、排出口７から排出される。あるいは、圧力付与部８１からの圧力がストッパー８００で停止されていれば、保管部６は、排出口７から排出されない。
【０１６８】
このように、圧力付与部８１の排出圧力の停止と解除によって、保管部６は、専用のモーターなどによる駆動を必要とせずに、筐体２から外部に排出される。この結果、筐体２の小型化・薄型化が図られる。もちろん、低コスト化も図られる。また、機械部１１１が配置される上方余地２１のレイアウト余地も高まり、レイアウト自由度が高くなる。この結果、設計や製造の容易性が高まるメリットも生じる。
【０１６９】
パチンコ機やスロットマシン機を大量に備える遊戯場では、多数の金券識別装置１を必要とする。このため、金券識別装置１の製造コストが低いことは非常に好適である。
（圧力付与部の詳細動作）
【０１７０】
図１２、図１３を用いて、排出駆動手段８による保管部６の排出の際の、弾性体の動作詳細を説明する。図１２、図１３は、実施の形態２における圧力付与部の内部図である。図１２、図１３は、排出駆動手段８の一部であって、下方余地２２に配置される圧力付与部８１の内部の詳細構成を示している。
【０１７１】
排出駆動手段８は、図１１を説明したように圧力付与部８１を備え、この圧力付与部８１が常に圧力を付与していることで、モーターなどを使わずに保管部６を排出口７から排出できる。ここで、圧力付与部８１は、図１２に示されるように弾性体８１Ａを備えている。
【０１７２】
この弾性体８１Ａを固定すると共に所定長さを有する固定部材８５が更に備わっている。この固定部材８５は、固定部材８５の支点を固定する支点固定部８６と、支点固定部８６を基準として移動可能な力点となる動作部８７と、弾性体８１Ａの一端である係止端８１Ｂを係止すると共に、係止端を移動可能な移動範囲を有する移動部８８と、を有する。
【０１７３】
移動部８８は、支点固定部８６と動作部８７との間に移動範囲を有している。係止端８１Ｂは、この移動範囲を移動可能である。係止端８１Ｂのこの移動範囲での移動によって、移動部８８と係止端８１Ｂとの位置関係が変化する。この位置関係の変化に基づいて、動作部８７の位置が変化する。動作部８７は、動作軸８９に沿って固定されており、動作部８７は、この動作軸８９に沿って移動可能であり、この移動によって動作部８７の位置が変化する。
【０１７４】
図１２は、保管部６が収納位置に収納されている状態を示している。保管部６は、手動あるいは自動で排出口７から押し込まれる。押し込まれることにより、動作軸８９に沿って動作部８７が奥（図１２では右側）に移動する。動作部８７が奥に移動することで、固定部材８５は、奥側の動作部８７とこれより前側の視点固定部８６との関係となる。この結果、係止端８１Ｂは、移動部８８において下側に移動する。
【０１７５】
係止端８１Ｂは、弾性体８１Ａによる排出圧力付与を行う構造における力点となる。支点固定部８６は、支点となる。動作部８７は、作用点となる。固定部材８５は、弾性体８１Ａと接続されることで、このような力点、支点、作用点となる部位を生じさせることができる。
【０１７６】
図１２に示されるように、保管部６が収納位置に収納されている場合には、作用点である動作部８７と力点である係止端８１Ｂとの距離が大きくなる。この距離が大きいことで、弾性体８１Ａが、保管部６に付与する排出圧力が弱まる。もちろん、排出圧力を付与したままであるが、排出圧力が弱まることで、保管部６やストッパー８００への過剰な負担をかけずに済む。
【０１７７】
これに対して、排出を指示する操作が行なわれると、ストッパー駆動部８０１がストッパー８００を保管部６から抜く。この結果、ストッパー８００が保管部６を停止させた状態から開放状態に変化させる。
【０１７８】
この状態となると、図１１を用いて説明した通り、圧力付与部８１による圧力によって、保管部６が排出口７から排出される。このとき、圧力付与部８１の状態は、図１２から図１３の状態に変化する。
【０１７９】
すなわち、係止端８１Ｂが移動部８８の移動範囲を支点固定部８６から動作部８７に向けて移動する。この移動によって、動作部８７は、動作軸８９を前側に移動する。この結果、動作部８７は、支点固定部８６よりも前側に位置するようになる。
【０１８０】
このような位置関係となって、動作部８７と係止端８１Ｂとの距離が小さくなり、動作部８７の荷重が大きくなる。荷重が大きくなることで、弾性体８１Ａは、十分な弾性力を、保管部６に対して付与できる。すなわち、作用点と力点の距離が小さくなる。この作用点と力点の距離が小さくなることで、弾性体８１Ａが付与する排出圧力がより大きくなる（図１２の場合に比べて）。
【０１８１】
保管部６は、既に排出口７から筐体２の外に排出されている。この状態で、弾性体８１Ａは、より強い排出圧力を保管部６に付与できる。しかも、この強い排出圧力は、弾性体８１Ａそのものに負担が生じているのではなく、固定部材８５での作用点と力点の距離が小さくなることによる。このため、弾性体８１Ａへの負担をかけることなく、保管部６へ強い排出圧力を付与した状態を維持できる。
【０１８２】
この維持によって、排出口７から排出された保管部６の排出状態を確実に維持できる。
【０１８３】
（保管部の形状）
図１４は、本発明の実施の形態２における保管部の斜視図である。保管部６は、金券２０を所定枚数保管すると共に、回収時には、筐体２の前方である排出口７から排出される。ここで、金券識別装置１は、パチンコ機やスロットマシン機など、多数の遊戯用機械１００同士の隙間に縦型に設置される。また、保管部６に保管されている金券２０の回収に当たっては、筐体２のままで遊戯用機械１００同士の隙間から取り出すのではなく、遊戯用機械１００の隙間に設置された状態を維持して回収できることが好ましい。
【０１８４】
これらを両立させるために、本発明の金券識別装置１は、筐体２の前方に設けられた排出口７から保管部６が直接的に排出される構成を有している。
【０１８５】
ここで、遊戯用機械１００同士の隙間は非常に狭い。このため、筐体２の前方の幅も制限がある。筐体２の前方は、排出口７に加えて挿入口３も設けられる。また、挿入口３のあとには挿入路３１も設けられる必要がある。このため、排出口７の幅には自ずと制限が生じる。
【０１８６】
一方で、保管部６は、この排出口７から排出される必要があるので、保管部６の幅は、排出口７の幅によって制限されてしまう。しかしながら、保管部６の幅が排出口７の幅で完全に制限されてしまうと、保管部６での金券２０の保管枚数が少なくなりすぎてしまう。
【０１８７】
図１４に示されている保管部６は、このような問題を解決するものである。
【０１８８】
保管部６は、金券２０を保管する際に金券２０を受ける載置面６４を有する。また、保管部６は、底面６４Ｘも有している。載置面６４は、この底面６４Ｘに略平行に設けられる。底面６４Ｘが保管部６の底面となって外形を形成するのに対して、載置面６４は、挿入路３１を通じて搬送された金券を保管する際に、この金券を支持する面となる。このため、金券の保管量の変化に伴って、載置面６４は、底面６４Ｘに対して略平行に近づいたり遠ざかったりして、可動する。この可動によって、金券を保管できる。
【０１８９】
保管部６は、底面６４Ｘの側面に沿って立設しており、保管される金券２０の側面を支持する一対の側面支持部材６５を備える。更に排出口７側には、蓋６８を備える。このような載置面６４、側面支持部材６５および蓋６８によって、金券２０の保管を可能とする立体空間を形成できる。
【０１９０】
一対の側面支持部材６５は、底面６４Ｘの両側において立設している。ここで、一対の側面支持部材６５の排出口側での前方部材６５Ｂの高さは、側面支持部材６５の逆側（奥側）の後方部材６５Ａの高さよりも低い。図１４では、前方部材６５Ｂの高さが、後方部材６５Ａの高さより低い状態が示されている。
【０１９１】
保管部６は、排出口７から排出されるが、その全てが排出されるものではない。図９、図１０を用いて説明した通り、保管部６の盗難を防止する観点から保管部６の一部のみが排出口７から排出される。
【０１９２】
ここで、側面支持部材６５の高さは、排出口７から排出が可能となるかを決定できる。側面支持部材６５の高さが高ければ、排出口７から保管部６が排出されない。このため、側面支持部材６５の高さは、排出口７の幅より低いことが適当である。しかしながら、筐体２は薄型化が要求され、排出口７の幅は狭くなりがちである。この幅に合わせて側面支持部材６５の高さを決めてしまうと、保管部６での保管できる金券２０の枚数が減ってしまう。
【０１９３】
これに対して、前方部材６５Ｂの高さのみを低くすることで、金券２０を保管する際に金券２０の側面を支持する後方部材６５Ａの高さは十分となる。この結果、排出口７の幅に限定されずに一定量の金券２０を、保管部６は、保管できる。
【０１９４】
一方で、前方部材６５Ｂは低くなっているので、保管部６が排出口７から排出される場合の邪魔とならない。特に、前方部材６５Ｂの高さが、排出口７の幅より狭ければ、排出口７より、保管部６は排出される。このとき、前方部材６５Ｂの長さ分において、保管部６は、排出口７より排出される。すなわち、前方部材６５Ｂの長さは、排出口７から排出されるべき保管部６の長さによって定められる。
【０１９５】
このように、保管部６の側面支持部材６５の排出口側の前方部材６５Ｂの高さが、後方部材６５Ａよりも低い（と同時に、排出口７の幅より低い）ことで、保管部６の保管枚数を下げずに、保管部６の排出口７からの排出を可能とできる。
【０１９６】
また、前方部材６５Ｂの部分に、可動板６７が設けられることも好適である。
【０１９７】
この可動板６７は、保管部６が収納されている場合には図１４に示されるように飛び出している。このように飛び出すことで、側面支持部材６５は、保管部６の側面全体に渡って、金券２０の側面を支持することができる。当然に、保管部６における金券２０の収納不具合がなくなり、保管部６に起因する問題は減少する。
【０１９８】
一方、排出時には、この可動板６７は、前方部材６５Ｂ内部に収容される。結果として、前方部材６５Ｂの高さだけが残る。こうして、保管部６の前方部分が、排出口７から排出される。可動板６７の動作は、排出駆動手段８に連動していればよい。
【０１９９】
以上のように、保管部６の側面支持部材６５の高さの工夫によって、保管部６の排出と保管量とのバランスが図られる。
【０２００】
なお、実施の形態１、２で説明した金券識別装置１は、一例であり、本発明の主旨を逸脱しない範囲を排除するものではない。
【符号の説明】
【０２０１】
１    金券識別装置
２    筐体
３    挿入口
３１    挿入路
４    識別部
６    保管部
６４    載置面
６４Ｘ    底面
６５    側面支持部材
７    排出口
８    排出駆動手段
８１    圧力付与部
８１Ａ    弾性体
８５    固定部材
９    搬送駆動手段
１００    遊戯用機械
２００    遊戯者
【図１】
2015023975.tif 000003
【図２】
2015023975.tif 000004
【図３】
2015023975.tif 000005
【図４】
2015023975.tif 000006
【図５】
2015023975.tif 000007
【図６】
2015023975.tif 000008
【図７】
2015023975.tif 000009
【図８】
2015023975.tif 000010
【図９】
2015023975.tif 000011
【図１０】
2015023975.tif 000012
【図１１】
2015023975.tif 000013
【図１２】
2015023975.tif 000014
【図１３】
2015023975.tif 000015
【図１４】
2015023975.tif 000016